(57)【要約】【課題】ローレットねじで保護板の塗膜を削らずとも保護板のアース経路を確保可能な構造とすること。【解決手段】電気機器を搭載する機器搭載部２１と、電気機器の導通部分を覆うように設置される保護板２２と、保護板２２を支持するために機器搭載部２１上に配置される保護板支持部材２３と、保護板２２と保護板支持部材２３とを固定する保護板固定部材２４とを備えた電気電子機器収納用箱であって、保護板支持部材２３と保護板２２の少なくとも一方に設けられた非塗装部に対して電気的につながる導通金具３を他方に取り付けた構成とする。【選択図】図３
2018133469.tif 000002
【特許請求の範囲】
【請求項１】
電気機器を搭載する機器搭載部と、電気機器の導通部分を覆うように設置される保護板と、保護板を支持するために機器搭載部上に配置される保護板支持部材と、保護板と保護板支持部材とを固定する保護板固定部材とを備えた電気電子機器収納用箱であって、保護板支持部材と保護板の少なくとも一方に設けられた非塗装部に対して電気的につながる導通金具を他方に取り付けた電気電子機器収納用箱。
【請求項２】
支持部材の非塗装部と接触する導通金具が、保護板の裏側で保護板支持部材側に突出するように、保護板に取り付けられた請求項１に記載の電気電子機器収納用箱。
【請求項３】
保護板の裏側に設けられた非塗装部と接触する導通金具が保護板支持部材に取り付けられた請求項１に記載の電気電子機器収納用箱。
【請求項４】
保護板に設けられた係止部と係止する導通金具が保護板支持部材に取り付けられた請求項３に記載の電気電子機器収納用箱。
【発明の詳細な説明】
【技術分野】
【０００１】
本発明は、電気電子機器収納用箱に関するものである。
【背景技術】
【０００２】
特許文献１に記載されているように、中扉などと称されるような保護板を備えた電気電子機器収納用箱は知られている。保護板には塗装がなされているが、塗装された部分については、非導電性である。そこで、突起状の歯を供えた歯付座金がローレットねじと保護板との間に用いられている。このような歯付座金は、螺合させる際に塗膜を削ることで、ローレットねじを介して保護板がアースされた状態を確保することを目的としたものである。
【先行技術文献】
【特許文献】
【０００３】
【特許文献１】特開２００６−４９４００号公報
【０００４】
しかしながら、歯付座金で塗膜を削る手段では、塗膜の厚みよりも、削り深さが浅い場合は、保護板のアース経路を確保できない。このため、本発明者は、新たな手段により、保護板のアース経路を確保することを模索することにした。
【発明の概要】
【発明が解決しようとする課題】
【０００５】
本件の発明者は、このような経緯でなされたものであり、本発明の課題は、ローレットねじで保護板の塗膜を削らずとも保護板のアース経路を確保可能な構造とすることである。
【課題を解決するための手段】
【０００６】
上記課題を解決するため、電気機器を搭載する機器搭載部と、電気機器の導通部分を覆うように設置される保護板と、保護板を支持するために機器搭載部上に配置される保護板支持部材と、保護板と保護板支持部材とを固定する保護板固定部材とを備えた電気電子機器収納用箱であって、保護板支持部材と保護板の少なくとも一方に設けられた非塗装部に対して電気的につながる導通金具を他方に取り付けた電気電子機器収納用箱とする。
【０００７】
また、支持部材の非塗装部と接触する導通金具が、保護板の裏側で保護板支持部材側に突出するように、保護板に取り付けられた構成とすることが好ましい。
【０００８】
また、保護板の裏側に設けられた非塗装部と接触する導通金具が保護板支持部材に取り付けられた構成とすることが好ましい。更に、保護板に設けられた係止部と係止する導通金具が保護板支持部材に取り付けられた構成とすることが好ましい。
【発明の効果】
【０００９】
本発明では、ローレットねじで保護板の塗膜を削らずとも保護板のアース経路を確保可能な構造とすることが可能となる。
【図面の簡単な説明】
【００１０】
【図１】電気電子機器収納用箱の斜視図である。
【図２】内機の斜視図である。
【図３】保護板支持部材周りの斜視図である。但し、機器は省略している。
【図４】保護板支持部材周りの分解斜視図である。但し、機器は省略している。
【図５】導通金具同士の接続状態を示した保護板支持部材周りの斜視図である。但し、機器は省略している。
【図６】保護板支持部材周りの側面図である。但し、機器は省略している。
【図７】保護板支持部材に導通金具を取り付けた状態を示した側面図である。但し、機器は省略しており、保護板と保護板支持部材が分離した状態である。
【図８】保護板支持部材に導通金具を取り付けた状態を示した側面図である。但し、機器は省略しており、保護板と保護板支持部材が接続した状態である。
【図９】保護板に導通金具を取り付けた状態を示した側面図である。但し、機器は省略しており、保護板と保護板支持部材が分離した状態である。
【図１０】保護板に導通金具を取り付けた状態を示した側面図である。但し、機器は省略しており、保護板と保護板支持部材が接続した状態である。
【図１１】係止部周りの斜視図である。但し、機器は省略している。
【発明を実施するための形態】
【００１１】
以下に発明を実施するための形態を示す。本実施形態の電気電子機器収納用箱１は、電気機器１３を搭載する機器搭載部２１と、電気機器１３の導通部分を覆うように設置される保護板２２と、保護板２２を支持するために機器搭載部２１上に配置される保護板支持部材２３と、保護板２２と保護板支持部材２３とを固定する保護板固定部材２４とを備えている。また、保護板支持部材２３と保護板２２の少なくとも一方に設けられた非塗装部に対して電気的につながる導通金具３が他方に取り付けられている。したがって、ローレットねじで保護板２２の塗膜を削らずとも保護板２２のアース経路を確保可能な構造とすることができる。また、ローレットねじを手で締め付けるという作業により保護板２２の塗膜を削るわけではないので、強い力でローレットねじの締め付けを行う必要もなくなる。更には、ローレットねじを介さず、機器搭載部２１と保護板２２の導通を確保することができる。
【００１２】
非塗装箇所とは、部分的に塗装されていない箇所や、塗装後にねじ穴９２を形成する加工などを行い、塗装を剥離した箇所などである。非塗装箇所が部分的に塗装されていない箇所である場合、導通金具３と非塗装部分とが接触するように固定させることで、直接導通を確保できる。また、塗装後にねじ穴９２を形成する加工を行うことで塗装を剥離することで非塗装箇所を設ける場合、導通ねじ４を使用し、ねじ穴９２で導通金具３を固定すれば、導通ねじ４を介して導通を確保できる。
【００１３】
ここで、本実施形態の電気電子機器収納用箱１について説明する。電気電子機器収納用箱１は、図１に示すように、開口を備えた筐体１１と、この開口を覆うことが可能であるとともに外径の一部を形成する扉１２を備えている。筐体１１の内部には、図２に示すような内機２が取り付けられている。図２及び図３に示すことから理解されるように、この内機２は、分岐ブレーカなどの電気機器１３を搭載する機器搭載部２１と、電気機器１３の導通部分を覆うように設置される保護板２２と、保護板２２を支持するために機器搭載部２１上に配置される保護板支持部材２３と、を備えている。本例の保護板支持部材２３は、金具により構成された保護板支持金具である。保護板２２は移動可能とされており、保護板２２が電気機器１３の導通部分を覆った状態を維持する際には、保護板固定部材２４を用いて保護板２２と保護板支持部材２３を固定する。本例においては、保護板固定部材２４はローレットねじを採用している。図３及び図４に示すことから理解されるように、この保護板固定部材２４は、保護板２２の孔９１に挿通された状態で保護板支持部材２３に螺合する。なお、本実施形態の機器搭載部２１は金属製の取付レールであるが、基板を機器搭載部２１にすることも可能である。また、筐体１１の内部には、筐体１１と導通が確保されるアース端子部が設けられており、アース端子部に接続された電線等を接地することで、筐体１１のアース経路を確保している。
【００１４】
図３乃至図６に示す例においては、保護板支持部材２３の非塗装部と電気的につながる導通金具３１が、保護板２２の裏側に突出するように、保護板２２に取り付けられている。本例における導通金具３１は保護板２２に設けられた挿入孔８１に挿通されており、保護板２２の表面側と裏面側とにわたって位置するように固定されている。本例では、導通金具３１が保護板支持部材２３側に突出した状態を維持する際、保護板２２の表面側で固定しているが、固定する位置は、保護板２２の表面でも裏面でも構わない。
【００１５】
保護板２２の裏面側で保護板支持部材２３側に突出する導通金具３１は、保護板２２を保護板支持部材２３に取り付けた際に、保護板支持部材２３の非塗装部と電気的につながるように構成する。電気的につなげるために接触させる位置は、保護板支持部材２３の上面や側面などいずれの箇所でもよい。例えば、保護板支持部材２３が部材を連結して構成されたものである場合、それらを連結するねじなどの連結部品に導通金具３１を接触させる構成とすることも可能である。
【００１６】
本例においては、保護板２２に取り付けられた導通金具３１は、保護板支持部材２３に取り付けられた導通金具３２と接触する構成となっている。保護板支持部材２３に取り付けられた導通金具３２は保護板２２側に突出するように固定されており、保護板２２が保護板支持部材２３に固定された状態において、保護板２２に取り付けられた導通金具３１と接触し、導通が確保される構成となっている。なお、導通金具３１又は、導通金具３１を保護板２２に固定する導通ねじ４を保護板２２の表面に露出させることで、保護板２２とアース端子部との導通を確認することができ、保護板２２のアース経路が確保されているか否かを検査することが容易となる。
【００１７】
次に、保護板２２には導通金具３を取り付けず、保護板支持部材２３に導通金具３２を取り付けた例を説明する。図７及び図８に示すことから理解されるように、導通金具３２は保護板２２側に突出するように固定される。導通金具３２と保護板支持部材２３との導通が確保できれば、導通金具３２の取付位置はいずれであってもよい。一方、保護板２２には、保護板支持部材２３側へ突出するように導通ねじ４を固定する。保護板支持部材２３に取り付けられた導通金具３と保護板２２の導通ねじ４を接触させることで、取付レール（又は基板）と保護板２２との導通を確保する。したがって、「取付レール（又は基板）→保護板支持部材２３→導通金具３２→導通ねじ４→保護板２２」の経路で導通を確保することできる。その一方で、基板２１ａに筐体１１を固定するときに塗装を剥がす方法や、基板２１ａとアース端子部とを電線等で接続する方法によって、基板２１ａと筐体１１との導通が確保される。したがって、保護板２２は、導通金具３を設けることで、アース経路を確保可能な構造とすることができる。なお、保護板２２の裏面に非塗装部を形成し、その非塗装部と保護板支持部材２３に取り付けられた導通金具３２とを接触させてもよい。導通金具３は、弾性変形する形状、材質であることが好ましい。また、導通ねじ４を保護板２２の表面に露出させることで、導通検査も容易となる。
【００１８】
次に、保護板支持部材２３には導通金具３を取り付けず、保護板２２に導通金具３１を取り付けた例を説明する。図９及び図１０に示すことから理解されるように、導通金具３１は保護板支持部材２３側に突出するように固定される。導通金具３１と保護板２２との導通が確保できれば、導通金具３１の取付位置はいずれであってもよい。保護板２２に取り付けられた導通金具３１と保護板支持部材２３とが電気的につながる構成とすることで、取付レール（又は基板）と保護板２２との導通を確保する。なお、本例では、保護板支持部材２３に導通ねじを取り付けてこの導通ねじが導通金具３１に接するような構成としているが、導通ねじは必要に応じて設ければ良いものである。したがって、「取付レール（又は基板）→保護板支持部材２３→（導通ねじ）→導通金具３→（導通ねじ４）→保護板２２」の経路で導通を確保することでき、筐体１１と導通が確保された取付レール（又は基板）を介して、保護板２２のアース経路を確保可能な構造とすることができる。
【００１９】
ところで、電気電子機器収納用箱１は、壁に取り付けられた状態や、自立した状態で保護板２２を固定する。その際、保護板２２の固定のために、複数箇所の保護板固定部材２４と保護板支持部材２３との位置合わせを行い、保護板２２を押さえつけながら締付作業を行うことは困難であり、作業性が悪い。しかし、図１１に示すように、保護板２２を仮保持できるような構成とすれば、作業性が改善される。より具体的には保護板２２を引っ掛けて仮保持できるような構成とすればよい。本例においては、保護板支持部材２３に取り付けた導通金具３２に保護板２２を引っ掛けることで仮保持できる構成としている。本例では、保護板２２の側端部を機器搭載部２１側に折り曲げることで形成された側面に係止部５１を設けている。この係止部５１は、保護板２２を固定する際に、保護板２２を仮保持するために設けられる。このように、保護板２２の側面に設けられた係止部５１と係止する導通金具３２が、保護板支持部材２３に取り付けられた構造とすることで、保護板２２を保護板支持部材２３に取付ける際に、仮保持することができ、作業性を改善することができる。
【００２０】
保護板２２にも導通金具３を取り付ける場合には、保護板支持部材２３に取り付けられた導通金具３２と保護板２２に取り付けられた導通金具３１が接触する位置と、導通金具３２と係止部５１が係止する位置を異なるものとする。本例では、保護板２２の中心から見て、前者よりも外側に後者があるように構成している。
【００２１】
以上、いくつかの実施形態を中心に説明してきたが、本発明は上記実施形態に限定されることはなく、各種の態様とすることが可能である。例えば、保護板固定部材はローレットねじを採用しているが、その他の種類のねじ等、他の部品を採用することも可能である。
【００２２】
実施形態における導通金具は、板状の部材を屈曲形成したものであるが、導通金具の形状は、機能が発揮できれば、どのようなものでも構わない。ただし、支持金具との接触によって弾性変形する形状、材質の方が、支持金具との接触面積を増やすことができるため、より確実に導通を確保することができる。
【００２３】
係止部は、保護板を係止できる構造であるなら如何なる形状でも構わない。例えば、保護板側面に切り欠き部を設けることで形成されたものや、側面から突出した突出部を設けることで形成されたものとすることが可能である。
【符号の説明】
【００２４】
１  電気電子機器収納用箱
３  導通金具
４  導通ねじ
１３  電気機器
２１  機器搭載部
２２  保護板
２３  保護板支持部材
２４  保護板固定部材
３１  導通金具
３２  導通金具
５１  係止部
【図１】
2018133469.tif 000003
【図２】
2018133469.tif 000004
【図３】
2018133469.tif 000005
【図４】
2018133469.tif 000006
【図５】
2018133469.tif 000007
【図６】
2018133469.tif 000008
【図７】
2018133469.tif 000009
【図８】
2018133469.tif 000010
【図９】
2018133469.tif 000011
【図１０】
2018133469.tif 000012
【図１１】
2018133469.tif 000013